(57)【要約】【課題】詰め替えの際に、ウェットティッシュの先端を取出孔に容易に挿入することができる、収納容器の取出口に嵌着するパッキンを提供する。【解決手段】中央部が頂点となる様に湾曲した弾性材からなる面部１２を有し、面部の中央部にウェットティッシュの取出孔１３を有し、取出孔を周回して、面部から突出する稜部１４を有し、面部は、容器の外方に凸に湾曲した形状を保持した状態と、容器の内方に凸に湾曲した形状を保持した状態とが反転可能に形成されている。【選択図】図１
2020040687.tif 000002
【特許請求の範囲】
【請求項１】
ウェットティッシュを収納する容器の取出口に嵌着するパッキンであって、
中央部が頂点となる様に湾曲した弾性材からなる面部を有し、
前記面部の中央部にウェットティッシュの取出孔を有し、
前記取出孔を周回して、前記面部から突出する稜部を有し、
前記面部は、容器の外方に凸に湾曲した形状を保持した状態と、容器の内方に凸に湾曲した形状を保持した状態とが反転可能に形成されていることを特徴とするパッキン。
【請求項２】
使用に際しては、前記面部が容器の内方に凸に湾曲した形状を保持した状態で取出口に嵌着されていることを特徴とする請求項１に記載のパッキン。
【請求項３】
前記取出孔が、円形孔にその直径方向の外側に向かう切込みが設けられた形状であることを特徴とする請求項１または２に記載のパッキン。
【発明の詳細な説明】
【技術分野】
【０００１】
本発明は、ウェットティッシュやウェットシートなどを収納する容器の取出口に嵌着するパッキンに関するものであり、特にウェットティッシュ等の着脱が容易なパッキンに関する。
【背景技術】
【０００２】
従来、ウェットティッシュ、ウェットシート等（以下、ウェットティッシュと総称する）を収容するための収納容器には、例えばロール状などとされたウェットティッシュを、使用する分だけ引き出すことができる取出口が設けられている。そしてこの取出口には、引き出されたロール状のウェットティッシュが、所定長さにミシン目からより確実に切断できるように、中央に取出孔を設けたパッキンが嵌着されている商品が多く見られる。
【０００３】
例えば特許文献１には、取出口に着脱可能に備えられるウェットティッシュ取出口部材（パッキン）であって、取出口部材の中央側に形成された小孔と、取出口部材の外周から小孔につながるスリット状の分断部が形成されている取出口部材が開示されている。この取出口部材を備える収納容器に新たなウェットティッシュを装填する際に、ウェットティッシュの１枚目の端部を取出口部材の分断部を通じて小孔に容易に通すことができ、ウェットティッシュが小孔に通された取出口部材を取出口に嵌着することで、スリット状の分断部が閉じるので、小孔から引き出すウェットティッシュをミシン目で切断しつつ、１枚ずつ取り出すことができるとしている。
【０００４】
しかしながら、特許文献１に開示されている取出口部材の場合、収納容器に新たなウェットティッシュを詰め替える度に、取出口部材の着脱を行わなければならず、その詰め替え作業が煩わしいという問題や、取り外した取出口部材を紛失してしまうと収納容器の使用ができなくなるという問題が生じることがあった。また、取出口部材（パッキン）を取出口部に嵌着したままの状態で、小孔にウェットティッシュを挿通させるのは、図７に示す様に、パッキン７０の収納容器の内部側が凹んだ凹部７１になっており、凹部７１の底にあたる部分に設けられる取出孔７２の近傍まで指７３が届き難く、ウェットティッシュ７４の先端が広がってしまうなどして挿入するのが困難であり、ウェットティッシュ７４を取出孔７２に押し込むためには、例えば先端が細い棒状部材を別に用意しなければならないなどといった煩わしさがあった。
【０００５】
また特許文献２には、弾性変形可能な面部と、前記面部に設けられてウェットティッシュが挿通される取出孔とを備えた取出部（パッキン）を有する収納容器が開示されており、ウェットティッシュを詰め替える際、取出部の面部を容器本体の内側に押し込んで変形させることで取出孔の開口を広げることができ、その開口が広がった取出孔にはウェットティッシュを挿入しやすくなり、ウェットティッシュの詰め替えを容易に行うことができる収納容器が得られるとしている。
【０００６】
しかしながら、特許文献２の取出部では、図８に示す様に、取出部８０の面部８１を容器の内部側に指８４などで押し込んだとき、面部８１はその状態を保持できないので、変形を維持するためには指８４などを押し付けた状態を維持しなければならず、取出孔８２にウェットティッシュ８３の先端を挿入する際に、取出孔８２がその指８４で覆われてしまったり、見え難くなってしまったりするため、取出孔８２が多少広がったとしてもウェットティッシュ８３の先端を挿入するのが困難になってしまう、という問題があった。
【先行技術文献】
【特許文献】
【０００７】
【特許文献１】特開２０１０−２８０４３１号公報
【特許文献２】特許第５４１０８６７号公報
【発明の概要】
【発明が解決しようとする課題】
【０００８】
本発明の目的は、以上の様な従来技術の問題点を解決するためなされたもので、ウェットティッシュの詰め替えの際に、ウェットティッシュの先端を取出孔に容易に挿入することができ、ウェットティッシュの取出しも容易な、収納容器の取出口に嵌着するパッキンを提供することである。
【課題を解決するための手段】
【０００９】
上記課題を解決するため、本発明の請求項１に係る発明は、
ウェットティッシュを収納する容器の取出口に嵌着するパッキンであって、
中央部が頂点となる様に湾曲した弾性材からなる面部を有し、
前記面部の中央部にウェットティッシュの取出孔を有し、
前記取出孔を周回して、前記面部から突出する稜部を有し、
前記面部は、容器の外方に凸に湾曲した形状を保持した状態と、容器の内方に凸に湾曲した形状を保持した状態とが反転可能に形成されていることを特徴とするパッキンである。
【００１０】
また、本発明の請求項２に係る発明は、
使用に際しては、前記面部が容器の内方に凸に湾曲した形状を保持した状態で取出口に嵌着されていることを特徴とする請求項１に記載のパッキンである。
【００１１】
また、本発明の請求項３に係る発明は、
前記取出孔が、円形孔にその直径方向の外側に向かう切込みが設けられた形状であることを特徴とする請求項１または２に記載のパッキンである。
【発明の効果】
【００１２】
本発明のウェットティッシュ収納容器のパッキンによれば、取出孔を周回して突出する稜部によって、容器外側に凸な形状と容器内側に凸な形状との２つの形状で安定して形状が保持できる。そのため、ウェットティッシュの詰替えの際には、収納容器の内部側からウェットティッシュの先端を取出孔に挿入する際はパッキンを容器内側に凸な形状として、面部の中央部の取出孔が凸の頂点となる様にすることにより、ウェットティッシュの先端を摘んだ指を取出孔に近接した状態とすることができて挿入し易い。また、ウェットティッシュを取出すときは、取出孔から容器外側に出たウェットティッシュの先端を摘んで引き出すときのウェットティッシュとパッキンの取出孔の部位での抵抗により面部が外側に引っ張られて反転し、容器外側に凸な形状となり、その形状で保持されることにより、その後のウェットティッシュの引き出しがスムーズに行える。
【００１３】
また請求項３に記載の発明によれば、取出孔が円孔の直径方向に切込みが設けられていることにより、ウェットティッシュの材質、厚みなどの特徴や用途に合わせて、先端を挿入する際や引き出す際の抵抗力を調節することが可能である。
【図面の簡単な説明】
【００１４】
【図１】本発明のウェットティッシュ収納容器のパッキンの一形態の断面図である。
【図２】本発明のウェットティッシュ収納容器のパッキンの一形態の平面図である。
【図３】本発明のパッキンにウェットティッシュの先端を挿入する態様の説明図である。
【図４】本発明のパッキンからウェットティッシュを引き出す態様の説明図である。
【図５】本発明のパッキンの取出孔の形状例を示す図である。
【図６】本発明のパッキンをウェットティッシュ収納容器の蓋体に嵌着した態様の断面模式図である。
【図７】従来のパッキンにウェットティッシュの先端を挿入する態様の説明図である。
【図８】従来のパッキンにウェットティッシュの先端を挿入する態様の説明図である。
【発明を実施するための形態】
【００１５】
以下、本発明の実施の形態を、図面を参照しながら詳細に説明する。なお本発明は以下に説明する実施形態に限定されるものではない。また以下において同等の部材等には同じ符号を付して説明を省略することがある。
【００１６】
図１は、本発明のウェットティッシュ収納容器のパッキンの一形態の断面図である。パッキン１０はウェットティッシュ容器の取出口に嵌め込まれる形で装着されて使用される。パッキン１０は、ゴム等の弾性材からなり、リング状の縁部１１の内側に中央部が頂点となる様に湾曲した面部１２を有し、面部１２の中央部にウェットティッシュの取出孔１３が面部１２を貫通して設けられている。そして取出孔１３を周回して、面部１２から突出する稜部１４が設けられている。
【００１７】
面部１２は、図１（ａ）に示す様に、容器の外方（ここでは図の上方）に凸に湾曲した形状を、形状を維持するための外力を加えることなく保持することができ、また図の上方から面部１２を押し込むことにより、湾曲した面部１２を下向きに反転させることができ、図１（ｂ）に示す様に、容器の内方（ここでは図の下方）に凸に湾曲した形状とすることができ、その形状を、形状を維持するための外力を加えることなく保持することができる。特に成型に際しては、図１（ａ）に示す様に容器の外方に凸に湾曲した形状に形成されるのが一般的である。
【００１８】
このとき、面部１２と縁部１１が接続する周端部１５がヒンジのような働きをするが、同時にその弾性により、面部１２を下向きに反転したときにこれを上向きに戻そうとする力が作用する。実際に上向きに戻るためには、面部１２、特に取出孔１３の部分を変形させる必要があるが、取出孔１３を周回して稜部１４が立ち上がっていることにより、取出孔１３の部位の剛性が増し、変形が起こり難くなっている。その結果、周端部１５の弾性による力だけでは面部１２が上向きに凸の形状に戻ることがなく、面部１２は図の下に凸の形状を、その形状を維持するための外力を加えることなく保持する。
【００１９】
図２は、本発明のウェットティッシュ収納容器のパッキンの一形態の平面図である。リング状の縁部１１の内側に面部１２を有し、面部１２の中央部にウェットティッシュの取出孔１３が設けられている。そして取出孔１３を周回して、稜部１４が設けられている。本実施形態においてはパッキン１０の外形は円形であるが、本発明のパッキンはこれに限られるものではなく、例えば楕円形、多角形、角丸多角形などであっても良い。
【００２０】
本発明のパッキンにウェットティッシュを装着する態様を説明する。図３は、本発明のパッキンにウェットティッシュの先端を挿入する態様の説明図である。パッキン１０にウェットティッシュ１６を装着する際は、まず面部１２を容器の内側に凸となる形状としておき、取出孔１３が容器の内側に凸となった部位の先端となる様にする。そしてウェットティッシュ１６の先端を撚るなどして細くまとめ、指３１で摘んで取出孔１３に挿入する。このとき、取出孔１３が容器内側に凸となった部位の先端となるため、指３１でウェットティッシュ１６の先端近傍をつまんで取出孔１３に容易に近接させることができ、ウェットティッシュ１６の先端を挿入し易い。
【００２１】
ウェットティッシュ１６の先端を取出孔１３に挿入したならば、図４に示す様に、容器の外側に突出したウェットティッシュ１６の先端を持ってウェットティッシュ１６を順次
必要なだけ引き出すことができる。ウェットティッシュ１６を引き出す過程において、取出孔１３の部分でのウェットティッシュ１６と面部１２および稜部１４との摩擦抵抗により、面部１２は容器外側に引っ張られ、容器外側に凸の形状となる。すなわち、ウェットティシュ１６を詰替えの際、先端部分を取出孔１３に挿入する際は、パッキン１０の面部１２を容器内側に凸の形状とし、その後、ウェットティッシュ１６を引き出して使用する際は、面部１２は容器外側に凸の形状のままとなる。
【００２２】
図５は取出孔の形状例を示す図である。取出孔の形状は、図２に示したような円形以外にも、円形に直径方向の外側に向かった切込みを設けた形状とすることができ、例えば（ａ）円に一文字状の切込み５１を設けた形状、（ｂ）十文字状の切込み５２を設けた形状、（ｃ）星状の切込み５３を設けた形状など、種々の形状とすることができる。切込みを設けることで、切込みの形状に応じて取出孔が広がり易くなり、ウェットティッシュを引き出す際の抵抗力を調整することができる。切り込みの形状は、挿入されるウェットティッシュの厚みや材質に応じて適宜選択することができる。
【００２３】
図６は、本発明のパッキンをウェットティッシュ収納容器の蓋体に嵌着した態様の断面模式図である。蓋体６０は収納容器本体に螺着するためのネジ条６１が内面に設けられ、上部側の取出口６３にパッキン１０が嵌着される。パッキン１０は、アンダーカット部６８で脱落しない様に支持されている。パッキン１０は弾性材からなるため、嵌着する際には弾性変形させて容易にアンダーカット部６８を乗り越えて蓋体６０に嵌着できる。
【００２４】
取出口６３には、蓋体６０の嵌合稜６４と嵌合して取出口６３を密封する開閉自在の蓋片６２が設けられている。蓋片６２が取出口６３を密封することで、パッキン１０の取出穴を通してウェットティッシュの水分やアルコール分などの揮発成分が蒸散するのを防いでいる。
【００２５】
蓋片６２は、その一端６５を持ち上げることで、ヒンジ部６６を中心に回動して開けることができ、取出口６３が開封され、パッキン１０を通してウェットティッシュを引き出すことができる。また、一端６５を持ち上げ易くするために、蓋体６０に陥凹部６７が設けられている。
【００２６】
本発明のパッキンは弾性材からなるが、その材質としては、ショア硬度が４５Ａ以上のゴムがよく、特に耐久性や耐内容物性（例えば、耐アルコール性など）が必要な場合には、シリコーンゴムが望ましい。また、適度の肉厚が必要である。
【００２７】
以上説明したように、本発明のパッキンによれば、ウェットティッシュの詰め替えの際に、ウェットティッシュの先端を取出孔に容易に挿入することができ、最初の１枚のウェットティッシュの取出しも容易な、収納容器の取出口に嵌着するパッキンを提供することができる。
【符号の説明】
【００２８】
１０・・・パッキン
１１・・・縁部
１２・・・面部
１３・・・取出孔
１４・・・稜部
１５・・・周端部
１６・・・ウェットティッシュ
３１・・・指
５１、５２、５３・・・切込み
６０・・・蓋体
６１・・・ネジ条
６２・・・蓋片
６３・・・取出口
６４・・・嵌合稜
６５・・・一端
６６・・・ヒンジ部
６７・・・陥凹部
６８・・・アンダーカット部
【図１】
2020040687.tif 000003
【図２】
2020040687.tif 000004
【図３】
2020040687.tif 000005
【図４】
2020040687.tif 000006
【図５】
2020040687.tif 000007
【図６】
2020040687.tif 000008
【図７】
2020040687.tif 000009
【図８】
2020040687.tif 000010